(57)【要約】  【課題】引出し装置を備えた冷蔵庫において、高品位かつ荷重を加えても操作力の小さい使い勝手の良いレール部材を提供する。  【解決手段】レール部材３１は、冷蔵庫１８への取付け性を確保し、摺動性の向上のために固定レール３１ａを基準として移動レールと３１ｂ中間走行レール３１ｃの横フレを０．５〜３．０ｍｍ程度もたせたものであるのでレール部材３１を断熱箱体に固定する際の冷蔵庫１８への取付け時に生じる応力を回避することが出来、固定レール３１ａと中間走行レール３１ｃの間、中間走行レール３１ｃと移動レール３１ａの間の摺動性を向上させることが出来、容器に荷重を加えた場合でも摺動性が優れ、滑らかに移動レールと中間走行レールが移動するので、使い勝手の向上を図ることができる。【選択図】図４
2007303780.tif 000002
【特許請求の範囲】
【請求項１】
固定レールと中間走行レールと移動レールを有し、それぞれ回転支持部材で支持されたレール部材において、前記レール部材は、固定レールを基準として回転支持部材と中間走行レールのクリアランスと回転支持部材と中間走行レールと移動レールのクリアランスとからなる横フレを０．５〜３．０ｍｍ程度になるように組み立てられたレール部材。
【請求項２】
移動レールと中間走行レールの間で摺動する回転支持部材の枠体の移動距離は、移動レールの摺動部間と中間走行レールの摺動部間で同じ寸法であることを特徴とする請求項１に記載のレール部材。
【請求項３】
固定レールと中間走行レールの間で摺動する回転支持部材の枠体の移動距離は、固定レールの摺動部間と中間走行レールの摺動部間で同じ寸法であることを特徴とする請求項１または２に記載のレール部材。
【請求項４】
レール部材は、複数の異なる温度帯の室に用い、回転支持部材であるボールベアリング内径の大小にて使い分けることにより、前記レール部材のクリアランスを変えることを特徴とする請求項１から３のいずれか一項に記載のレール部材。
【請求項５】
請求項１から４のいずれか一項に記載のレール部材を備えた冷蔵庫。
【発明の詳細な説明】
【技術分野】
【０００１】
本発明は、引出し装置を備えた冷蔵庫に関し、特に引出し用レール部材の構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図６は、従来の冷蔵庫の引出し式扉の斜視図である。図７は従来の冷蔵庫の引出し装置の要部断面図である。図８は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラ３と、内箱側壁４に固定，取り付けられたフレーム２と可動ローラ３を摺動支持する固定レール５と固定ローラ６と、フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部１２に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付けのばらつき、組立性を考慮して、組み込み状態でレールとローラ間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、冷蔵庫への取付け性を向上させ，高品位かつ荷重を加えても操作力の小さい使い勝手の良い引出し用のレール部材を提供することを目的とする。
【課題を解決するための手段】
【０００９】
上記従来の課題を解決するために、本発明のレール部材は、固定レールと中間走行レールと移動レールとを有し、前記レール部材は固定レールを基準として回転支持部材と中間走行レールのクリアランスと回転支持部材と中間走行レールと移動レールのクリアランスとからなる横フレを０．５〜３．０ｍｍ程度になるように組み立てられたものである。
【００１０】
これによってレール部材を冷蔵庫への取付け時に生じる応力を回避することが出来、固定レールと中間走行レールの間、中間走行レールと移動レールの間の摺動性を向上させ、高品位な引出しを構成することができるとともに、容器に荷重を加えた場合でも摺動性が優れ、滑らかに移動レールと中間走行レールが移動できる。
【発明の効果】
【００１１】
本発明のレール部材は、冷蔵庫への取付け時に生じる応力を回避することが出来、容器に荷重を加えた場合でも滑らかに引出しを開閉することができ、高品位で使い勝手の良い、信頼性の高い引出し収納を構成することができる。
【発明を実施するための最良の形態】
【００１２】
請求項１に記載の発明は、固定レールと中間走行レールと移動レールとを有し、それぞれ回転支持部材で支持されたレール部材において、前記レール部材は、固定レールを基準として回転支持部材と中間走行レールのクリアランスと回転支持部材と中間走行レールと移動レールのクリアランスとからなる横フレを０．５〜３．０ｍｍ程度になるように組み立てられたものであり、固定レールと中間走行レールと移動レールをあらかじめ組み込んだ状態のレール部材を断熱箱体に固定する際の冷蔵庫への取付け時に生じる応力を回避することが出来、固定レールと中間走行レールの間、中間走行レールと移動レールの間の摺動性を向上させ、高品位な引出しを構成することができるとともに、容器に荷重を加えた場合でも摺動性が優れ、滑らかに移動レールと中間走行レールが移動するので引出しの操作力を低減することができ、使い勝手の向上を図ることができる。
【００１３】
請求項２に記載の発明は、請求項１に記載の発明において、移動レールと中間走行レールの間で摺動する回転支持部材の枠体の移動距離は、移動レールの摺動部間と中間走行レールの摺動部間で同じ寸法としたものであり、確実にレール部材のスムーズな動きを得ることができる。
【００１４】
請求項３に記載の発明は、請求項１または２に記載の発明において、固定レールと中間走行レールの間で摺動する回転支持部材の枠体の移動距離は、固定レールの摺動部間と中間走行レールの摺動部間で同じ寸法としたものであり、確実にレール部材のスムーズな動きを確保することができる。
【００１５】
請求項４に記載の発明は、請求項１から３のいずれか一項に記載の発明において、レール部材は、複数の異なる温度帯の室に用い、回転支持部材であるボールベアリング内径の大小にて使い分けることにより、前記レール部材のクリアランスを変えるものであり、レール部材の摺動クリアランスを変えることにより、冷蔵庫の引き出し装置の使用温度帯に応じて、レール部材のスムーズな動きを確保することができる。
【００１６】
請求項５に記載の発明は、請求項１から４のいずれか一項に記載のレール部材を備えた冷蔵庫であり、容器に荷重を加えた場合でも滑らかに引出しを開閉することができ、高品位で使い勝手の良い、信頼性の高い引出し収納を構成する冷蔵庫を提供することが出来る。
【００１７】
以下、本発明による冷蔵庫の実施の形態について、図面を参照しながら説明する。なお、先に説明した実施の形態と同一構成については同一符号を付して、その詳細な説明は省略する。また、この実施の形態によってこの発明が限定されるものではない。
【００１８】
（実施の形態１）
図１は本発明の実施の形態１における冷蔵庫の側断面図、図２は図１のＡ−Ａ線断面図、図３は、同実施の形態の冷蔵庫レール部材の分解組立図、図４（ａ）は同実施の形態の冷蔵庫レール部材の断面図、図４（ｂ）は同実施の形態の冷蔵庫のレール部材の横フレを示す図、図５は同実施の形態の冷蔵庫レール部材の組立図である。
【００１９】
図１から図５において、冷蔵庫１８の断熱箱体１９は内箱２０と外箱２１との間に発泡断熱材２２を充填したものであり、前面開口部１９ａを有し、仕切壁２３ａ、２３ｂ、２６により、上部より冷蔵室２４、切替室２５、野菜室２７、冷凍室２８を形成している。
【００２０】
また、仕切壁２６の両側面は開放部２６ａを有し、仕切壁２６内部には断熱箱体１９と同様に発泡断熱材２２が充填されている。
【００２１】
また、仕切壁２６の上部に配置する野菜室２７は冷却温度が５℃程度、下部に配置する冷凍室２８は冷却温度が−２０℃程度というように仕切壁２６を介して上下に異なる温度帯に設定されている。
【００２２】
野菜室２７と冷凍室２８とはそれぞれ前面開口部１９ａを野菜室ドア２９と冷凍室ドア３０にて閉塞され、更に野菜室２７と野菜室ドア２９および冷凍室２８と冷凍室ドア３０とはそれぞれレール部材３１にて連結されることにより前後方向に引出し摺動可能となっている。
【００２３】
レール部材３１は固定レール３１ａと、移動レール３１ｂと、固定レール３１ａと移動レール３１ｂとの間に備えられた中間走行レール３１ｃと、中間走行レール３１ｃと固定レール３１ａおよび移動レール３１ｂとの係合を支持するベアリング等の複数の回転支持部材３１ｄと、回転支持部材３１ｄを保持する回転支持部材の枠体３１ｆとからなり、低温でも潤滑性を有し、金属部材の摺動性に優れた潤滑剤３１ｅをベアリング等の複数の回転支持部材３１ｄの移動する範囲の摺動部に塗布している。
【００２４】
そして、固定レール３１ａと移動レール３１ｂと中間走行レール３１ｃと回転支持部材３１ｄと回転支持部材の枠体３１ｆと潤滑剤３１ｅとを予め組み込んだ状態で固定レール３１ａを内箱２０の両側壁面に固定し、移動レール３１ｂをそれぞれの貯蔵室ドアに固定することでそれぞれの貯蔵室と貯蔵室ドアとを連結している。
【００２５】
上記構成により、固定レール３１ａと移動レール３１ｂと、固定レール３１ａと移動レール３１ｂとの間に回転支持部材３１ｄと回転支持部材の枠体３１ｆと潤滑剤３１ｅを介して配設した中間走行レール３１ｃとからなるレール部材３１は予め組み込んだものである。
【００２６】
尚、レール部材３１は、冷蔵庫１８への取付け性を確保し、摺動性の向上のためにレール部材３１は固定レール３１ａを基準として回転支持部材３１ｄと中間走行レール３１ｃのクリアランスと回転支持部材３１ｄと中間走行レール３１ｃと移動レール３１ａのクリアランスとからなる横フレを０．５〜３．０ｍｍ程度になるように組み立てられたものである。具体的には、中間走行レール３１ｃの垂直方向の中心線の下部と固定レール３１ａとの交点を軸に移動レール３１ｂの上端部の左右方向の移動可能間隔を前記横フレとしたものである。
【００２７】
また、レール部材３１の摺動性の向上として、移動レール３１ｂと中間走行レール３１ｃの間で摺動する回転支持部材の枠体３１ｆの移動距離は、移動レール３１ｂの摺動部間と中間走行レール３１ｃの摺動部間とで同じ寸法である。
【００２８】
また、固定レール３１ａと中間走行レール３１ｃの間で摺動する回転支持部材の枠体３１ｆの移動距離も固定レール３１ａの摺動部間と中間走行レール３１ｃの摺動部間とで同じ寸法である。
【００２９】
また、レール部材３１の操作性を高めるために温度帯の異なる野菜室２７と冷凍室２８で回転支持部材３１ｄであるボール内径の大小により使い分けている。
【００３０】
更に内箱２０の両側壁面に固定された左右のレール部材３１は左右対称の形状を有し左右共に備えることでより良い摺動性を発揮する。
【００３１】
各貯蔵室の容器３２はレール部材３１を内箱２０に固定後にレール部材３１の移動レール３１ｂに支持し、各貯蔵室ドアを前後方向に引き出すのと同期して移動レール３１ｂと共に前後に移動し、更に各貯蔵室ドアを少なくとも全開した時に容器３２は上方向に着脱自在となっている。
【００３２】
また、左右一対のレール部材３１の固定レール３１ａは位置規制手段である連結部材３３によってそれぞれ内箱２０を介して固定位置を規制される。
【００３３】
連結部材３３は水平部３３ａと、水平部３３ａの両端に垂直部３３ｂを有する断面Ｈ形状で水平部３３ａは仕切壁２６内部で上仕切壁２６ｂと下仕切壁２６ｃとにはさまれて固定され、垂直部３３ｂは仕切壁２６の開放部２６ａより仕切壁２６の外部に突出し、内箱２０の発泡断熱材２２を充填した側に配置されるので連結部材３３は各貯蔵室内に露出しない構造となっている。
【００３４】
また、垂直部３３ｂの両端はそれぞれ野菜室２７と冷凍室２８との上下方向の中心部付近まで達しており、各貯蔵室内の左右のレール部材３１の固定レール３１ａは垂直部３３ｂの固定部３３ｃに固定され、少なくとも垂直部３３ｂの固定部３３ｃは内箱２０の発泡断熱材２２を充填した側の面に接している。更に左右の垂直部３３ｂには孔３３ｄを設けている。
【００３５】
なお、連結部材３３が大きくなる場合には前後に複数に分割し、それぞれに水平部３３ａと垂直部３３ｂと固定部３３ｃとを備え、必要に応じて孔３３ｄを設けると連結部材３３を一体とした場合と同様の効果が得られる。
【００３６】
以上のように構成された冷蔵庫について、以下その動作、作用を説明する。
【００３７】
まず、各貯蔵室ドアを手前に引き出すと各貯蔵室の両側部に備えられたレール部材３１の移動レール３１ｂと中間走行レール３１ｃと中間走行レール３１ｃと固定レール３１ａとが回転支持部材３１ｄが回転することと回転支持部材３１ｄの移動範囲に塗布された潤滑剤３１ｅにより滑らかに手前側に摺動する。
【００３８】
それに伴い、レール部材３１に支持された容器３２も手前に引出され、容器３２内に収納された被冷却物の取出し及び新たな被冷却物の収納が可能となる。
【００３９】
以上のように本実施の形態においては固定レール３１ａと移動レール３１ｂと中間走行レール３１ｃとをあらかじめ組み込んだ状態のレール部材３１を内箱２０の両側壁面に固定する際の冷蔵庫１８への取付け時に生じる応力を回避することが出来、固定レール３１ａと中間走行レール３１ｃの間、中間走行レール３１ｃと移動レール３１ｂの間の摺動性を向上させ、高品位な引出しを構成することができる。
【００４０】
これらの効果はレール部材３１の引出し代が大きいほど効果的である。また、固定レール３１ａと中間走行レール３１ｃの間、移動レール３１ｂと中間走行レール３１ｃの間を回転支持部材３１ｄと潤滑剤３１ｅで支持することにより容器３２に荷重を加えた場合でも滑らかに移動レール３１ｂと中間走行レールが移動できるので引出しの操作力を低減することができ、使い勝手の向上を図ることができる。
【００４１】
また、レール部材３１は、冷蔵庫１８への取付け性を確保し、摺動性の向上のためにレール部材３１は固定レール３１ａを基準として回転支持部材３１ｄと中間走行レール３１ｃのクリアランスと回転支持部材３１ｄと中間走行レール３１ｃと移動レール３１ａのクリアランスとからなる横フレを０．５〜３．０ｍｍ程度になるように組み立てられたものであるのでレール部材３１を断熱箱体に固定する際の冷蔵庫１８への取付け時に生じる応力を回避することが出来、固定レール３１ａと中間走行レール３１ｃの間、中間走行レール３１ｃと移動レール３１ａの間の摺動性を向上させることが出来、容器に荷重を加えた場合でも摺動性が優れ、滑らかに移動レールと中間走行レールが移動するので、使い勝手の向上を図ることができる。
【００４２】
また、レール部材３１の摺動性の向上として、ドア開閉時に移動レール３１ｂと中間走行レール３１ｃの間で摺動する回転支持部材の枠体３１ｆの移動距離は、回転支持部材の枠体３１ｆが前後に摺動する時に、移動レール３１ｂのカシメ部によって区切られた寸法と中間走行レール３１ｃのカシメ部によって区切られた寸法を同じとしているので確実にレール部材３１のスムーズな動きを確保することができる。
【００４３】
また、固定レール３１ａと中間走行レール３１ｃの間で摺動する回転支持部材の枠体３１ｆの移動距離も固定レール３１ａと中間走行レール３１ｃで同じである。
【００４４】
また、レール部材３１の操作性を高めるために、温度帯の異なる野菜室２７と冷凍室２８で回転支持部材３１ｄであるボール径の大小で使い分けている、例えば、冷凍室２８で使用する場合は、潤滑剤３１ｅの粘度が固くなることにより、レール部材３１の摺動性が悪くなるので、小さい径のボールを使用し、それぞれのレールのクリアランスを大きく持たせることにより、確実にレール部材３１のスムーズな動きを確保することができる。
【００４５】
また、連結部材３３によりレール部材３１の固定レール３１ａの取付け位置を規制することで左右一対のレール部材３１の幅寸法あるいは平行度が規定どおりに保持できることと、連結部材３３により断熱箱体１９の発泡断熱材２２充填後の冷却時の熱収縮等による寸法変化を抑制することで、固定レール３１ａと移動レール３１ｂとのクリアランスを小さく設定したレール部材３１をあらかじめ組み込んだ状態で内箱２０の両側壁面に固定する仕様としても左右一対のレール部材３１間の寸法精度を高く保てるので容器３２の引出し時の操作性を位置規制手段である連結部材３３により高めることができ、また、固定レール３１ａと中間走行レール３１ｃとの間、中間走行レール３１ｃと移動レール３１ｂとの間を回転支持部材３１ｄと潤滑剤３１ｅとで支持しているので摺動部の磨耗などが防止され長期にわたって操作信頼性の確保も図ることができる。
【００４６】
また、中間走行レール３１ｃを備えることによりレール部材３１の移動レール３１ｂの引出し代を大きくすることができるので容器３２の奥部まで引き出す事ができ、容器３２の奥部まで見渡すことが可能となり、容器３２内の被冷却物の使い忘れによるロスを防止したり、容器３２をレール部材３１に着脱することが容易となるので使い勝手の向上を図ることができる。
【００４７】
特に各貯蔵室の容器３２の奥行きを大きくしたものを手前まで引き出したい場合には中間走行レール３１ｃを備えることにより、引出し時のレール部材３１の強度や操作性に有効となる。
【００４８】
また、左右の固定レール３１ａを連結する連結部材３３を断熱箱体１９の発泡断熱材２２内に埋設したので、冷蔵庫１８の使用時に連結部材３３の結露，着霜の防止を図ることができ、更に連結部材３３が空気と接することが無いので連結部材３３の耐食性を向上させることができ、連結部材３３の防錆処理も軽減できるのでコストダウンを図ることができる。
【００４９】
また、連結部材３３の周辺に発泡断熱材２２があることで連結部材３３の取付け強度も向上し、位置規制の信頼性やレール部材３１の取付け強度の向上を図ることができる。
【００５０】
また、上下に隣り合った野菜室２７と冷凍室２８にそれぞれレール部材３１を備え、それぞれのレール部材３１の固定レール３１ａを連結部材３３で一体に固定したので、複数の貯蔵室の操作性を同時に高めることができる。
【００５１】
また、連結部材３３を両端に垂直部３３ｂを有する断面Ｈ形状とし、垂直部３３ｂに上下に隣り合った野菜室２７と冷凍室２８のレール部材３１の固定レール３１ａを一体に固定したので、一つの連結部材３３に複数のレール部材３１の固定レール３１ａを固定することにより部品点数の削減によるコストダウンを図ることができる。
【００５２】
また、連結部材３３の両端の垂直部３１ｂに孔３１ｃを設けたので、複数の貯蔵室の温度帯が異なる場合に連結部材３３からの熱伝達を抑制し、温度帯の高い貯蔵室側の結露の防止や熱リークによる消費電力の増加を抑制できる。
【００５３】
また、左右一対のレール部材３１の固定レール３１ａを前後方向に複数の連結部材３３で連結した場合には、特にレール部材３１を大型冷蔵庫に使用した場合に、連結部材３３を複数に分割することにより連結部材３３の小型化を図れるのでコストダウンを図ることができる。
【００５４】
尚、本実施の形態ではレール部材３１と容器３２とを野菜２７と冷凍室２８とで共通としたが、実使用の収納形態などによりそれぞれ貯蔵室別に違う材料で形成したものを使用するとさらにコスト低減、信頼性向上を図ることができる。
【００５５】
また、本実施の形態では、野菜室２７と冷凍室２８にレール部材３１を用いたもので説明したが、引き出し容器を備えた貯蔵室に適宜適用できる。たとえば、野菜室２７の上部に位置する切替室２５や、切替室２５の横に併設した製氷室（図示せず）等に用いてもよい。
【００５６】
また、本実施の形態では、連結部材３３は水平部３３ａと、水平部３３ａの両端に垂直部３３ｂを有する断面Ｈ形状とし、野菜室２７と冷凍室２８のそれぞれのレール部材３１を一体に固定したもので説明したが、野菜室２７と冷凍室２８のそれぞれに両端に垂直部を有する断面コの字状の連結部材を用いてもよい。この場合、野菜室２７と冷凍室２８が上下に併設していない冷蔵庫において、それぞれガタツキの少ない高品位かつ荷重を加えても操作力の小さい使い勝手の良い引出しを提供することができる。また、複数のレール部材を一つの連結部材に固定した場合に比べ複数の貯蔵室の温度帯が異なる場合に更に連結部材からの熱伝達を抑制し、温度帯の高い貯蔵室側の結露の防止や熱リークによる消費電力の増加を抑制できる。
【００５７】
なお、左右の一対のレール部材の固定レールを複数の連結部材で連結してもよい。この場合、連結部材を複数に分割することにより連結部材の小型化を図れるのでコストダウン、軽量化を図ることができる。
【産業上の利用可能性】
【００５８】
以上のように、本発明にかかるレール部材は、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００５９】
【図１】本発明の実施の形態１における冷蔵庫の側断面図
【図２】図１のＡ−Ａ線断面図
【図３】同実施の形態の冷蔵庫のレール部材の分解組立図
【図４】（ａ）同実施の形態の冷蔵庫のレール部材の断面図（ｂ）同実施の形態の冷蔵庫のレール部材の横フレを示す図
【図５】同実施の形態の冷蔵庫のレール部材の組立図
【図６】従来の冷蔵庫の引出し式扉の斜視図
【図７】従来の冷蔵庫の引出し装置の要部断面図
【図８】従来の冷蔵庫の引出し装置の断面図
【符号の説明】
【００６０】
１８  冷蔵庫
３１  レール部材
３１ａ  固定レール
３１ｂ  移動レール
３１ｃ  中間走行レール
３１ｄ  回転支持部材
３１ｆ  回転支持部材の枠体
【図１】
2007303780.tif 000003
【図２】
2007303780.tif 000004
【図３】
2007303780.tif 000005
【図４】
2007303780.tif 000006
【図５】
2007303780.tif 000007
【図６】
2007303780.tif 000008
【図７】
2007303780.tif 000009
【図８】
2007303780.tif 000010